【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
（ａ）Ｚ−１，１，１，４，４，４−ヘキサフルオロ−２−ブテンと、
（ｂ）メチルパーフルオロプロピルエーテルとから本質的になる組成物であって、
前記メチルパーフルオロプロピルエーテルが、前記Ｚ−１，１，１，４，４，４−ヘキサフルオロ−２−ブテンと共沸混合物様組み合わせ物を形成するのに有効な量で存在する、組成物。
【請求項２】
（ａ）Ｚ−１，１，１，４，４，４−ヘキサフルオロ−２−ブテンと、
（ｂ）メチルパーフルオロプロピルエーテルとから本質的になる組成物であって、
前記メチルパーフルオロプロピルエーテルが、前記Ｚ−１，１，１，４，４，４−ヘキサフルオロ−２−ブテンと共沸性組み合わせ物を形成するのに有効な量で存在する、組成物。
【請求項３】
熱硬化性発泡体を調製する方法であって、ポリウレタン成分Ａを発泡剤としての請求項１に記載の組成物を含むポリウレタン成分Ｂと合わせ、混合して、発泡性組成物を調製することと、前記発泡性組成物を型又は他のキャビティに分注して、発泡体で充填することとを含む、方法。
【請求項４】
加熱を生じさせる方法であって、加熱される物体の近傍で請求項１に記載の共沸混合物様組成物を凝縮させ、その後、前記共沸混合物様組成物を蒸発させることを含む、方法。
【請求項５】
物品の表面から残留物を除去する方法であって、前記物品の前記表面を請求項１に記載の組成物と接触させることと、前記組成物から前記表面を回収することとを含む、方法。
【請求項６】
請求項１に記載の共沸混合物様組成物を伝熱媒体として用いることを含む、方法。
【請求項７】
熱を伝達する方法であって、
ａ．デバイスを提供することと、
ｂ．伝熱流体を用いて、前記デバイスに又は前記デバイスから熱を伝達することとを含み、前記伝熱流体が、請求項１に記載の共沸混合物様組成物から本質的になる、方法。
【請求項８】
火を消すか又は抑制する方法であって、請求項１に記載の共沸混合物様組成物を消火剤又は抑火剤として用いることを含む、方法。
【手続補正２】
【補正対象書類名】明細書
【補正対象項目名】００７２
【補正方法】変更
【補正の内容】
【００７２】
本発明の別の実施形態は、共沸性又は共沸混合物様組成物を誘電体として用いる方法であって、前記共沸性又は共沸混合物様組成物が、Ｚ−１，１，１，４，４，４−ヘキサフルオロ−２−ブテン及びＨＦＥ−７０００から本質的になる、方法を提供する。
本発明は、以下の発明を包含するものである。
１．（ａ）Ｚ−１，１，１，４，４，４−ヘキサフルオロ−２−ブテンと、
（ｂ）メチルパーフルオロプロピルエーテルとから本質的になる組成物であって、
前記メチルパーフルオロプロピルエーテルが、前記Ｚ−１，１，１，４，４，４−ヘキサフルオロ−２−ブテンと共沸混合物様組み合わせ物を形成するのに有効な量で存在する、組成物。
２．（ａ）Ｚ−１，１，１，４，４，４−ヘキサフルオロ−２−ブテンと、
（ｂ）メチルパーフルオロプロピルエーテルとから本質的になる組成物であって、
前記メチルパーフルオロプロピルエーテルが、前記Ｚ−１，１，１，４，４，４−ヘキサフルオロ−２−ブテンと共沸性組み合わせ物を形成するのに有効な量で存在する、組成物。
３．約１〜約９９モルパーセントのＺ−１，１，１，４，４，４−ヘキサフルオロ−２−ブテンと、約９９〜約１モルパーセントのメチルパーフルオロプロピルエーテルとから本質的になる、１に記載の共沸混合物様組成物であって、約−３０℃〜約１５０℃の温度で、前記組成物の露点圧力と沸点圧力との差が、前記沸点圧力に基づいて５パーセント以下であることを特徴とする、共沸混合物様組成物。
４．約５〜約９５モルパーセントのＺ−１，１，１，４，４，４−ヘキサフルオロ−２−ブテンと、約９５〜約５モルパーセントのメチルパーフルオロプロピルエーテルとから本質的になる、１に記載の共沸混合物様組成物であって、約−３０℃〜約１５０℃の温度で、前記組成物の露点圧力と沸点圧力との差が、前記沸点圧力に基づいて５パーセント以下であることを特徴とする、共沸混合物様組成物。
５．約５６．５モルパーセント〜約７２．０モルパーセントのＺ−１，１，１，４，４，４−ヘキサフルオロ−２−ブテンと、約４３．５モルパーセント〜約２８．０モルパーセントの２−クロロ−３，３，３−トリフルオロプロペンとから本質的になる、２に記載の共沸性組成物であって、約５．０ｋＰａ〜約１９９９ｋＰａ（約０．７２ｐｓｉａ〜約２９０ｐｓｉａ）の圧力で約−４０℃〜約１２０℃の沸点温度を有する、共沸性組成物。
６．熱硬化性発泡体を調製する方法であって、ポリウレタン成分Ａを発泡剤としての１に記載の組成物を含むポリウレタン成分Ｂと合わせ、混合して、発泡性組成物を調製することと、前記発泡性組成物を型又は他のキャビティに分注して、発泡体で充填することとを含む、方法。
７．熱硬化性発泡体を調製する方法であって、ポリウレタン成分Ａを発泡剤としての請求項２に記載の組成物を含むポリウレタン成分Ｂと合わせ、混合して、発泡性組成物を調製することと、前記発泡性組成物を型又は他のキャビティに分注して、発泡体で充填することとを含む、方法。
８．冷却を生じさせる方法であって、１に記載の共沸混合物様組成物を凝縮させ、その後、冷却される物体の近傍で前記共沸混合物様組成物を蒸発させることを含む、方法。
９．冷却を生じさせる方法であって、２に記載の共沸性組成物を凝縮させ、その後、冷却される物体の近傍で前記共沸性組成物を蒸発させることを含む、方法。
１０．加熱を生じさせる方法であって、加熱される物体の近傍で１に記載の共沸混合物様組成物を凝縮させ、その後、前記共沸混合物様組成物を蒸発させることを含む、方法。
１１．加熱を生じさせる方法であって、加熱される物体の近傍で２に記載の共沸性組成物を凝縮させ、その後、前記共沸性組成物を蒸発させることを含む、方法。
１２．物品の表面から残留物を除去する方法であって、前記物品の前記表面を１に記載の組成物と接触させることと、前記組成物から前記表面を回収することとを含む、方法。
１３．前記接触させることが、蒸気脱脂によって行われる、１２に記載の方法。
１４．物品の表面から残留物を除去する方法であって、前記物品の前記表面を２に記載の組成物と接触させることと、前記組成物から前記表面を回収することとを含む、方法。
１５．エアゾール製品を作製する方法であって、１に記載の共沸混合物様組成物を噴射剤として用いることを含む、方法。
１６．エアゾール製品を作製する方法であって、２に記載の共沸性組成物を噴射剤として用いることを含む、方法。
１７．１に記載の共沸混合物様組成物を伝熱媒体として用いることを含む、方法。
１８．熱を伝達する方法であって、
ａ．デバイスを提供することと、
ｂ．伝熱流体を用いて、前記デバイスに又は前記デバイスから熱を伝達することとを含み、前記伝熱流体が、１に記載の共沸混合物様組成物から本質的になる、方法。
１９．火を消すか又は抑制する方法であって、１に記載の共沸混合物様組成物を消火剤又は抑火剤として用いることを含む、方法。
２０．火を消すか又は抑制する方法であって、２に記載の共沸性組成物を消火剤又は抑火剤として用いることを含む、方法。
２１．１に記載の共沸混合物様組成物を誘電体として用いることを含む、方法。
２２．２に記載の共沸性組成物を誘電体として用いることを含む、方法。